(57)【要約】      （修正有）【課題】スイング特性を計測するセンサー或いはスイング特性を改善するゴルフクラブの性能調整に関するガイドライン等に依拠することなくプレイヤーにそのゴルフクラブの性能調整情報又は関連情報を提供する。【解決手段】ヘッド本体１０のソール部１１に凹部１１ｃを形成し、該凹部１１ｃに専用サイトのＵＲＬが記載された二次元コード５０をマーキングする。また、該凹部１１ｃにはウェイト１２を搭載する複数の六角凹部１１ｅをハニカム状に密に隣り合うように形成する。プレイヤーがスマートフォン２０で二次元コード５０を読み込むと、サーバー４０に構築された専用サイトから情報通信ネットワーク３０を介して該ヘッド本体１０の重心位置調整に係るアプリケーションが該スマートフォン２０にダウンロードされるようにする。アプリケーションは、プレイヤーが入力した希望の球筋データを参照してウェイト搭載位置を提示するように構成する。【選択図】図１
2020089422.tif 000002
【特許請求の範囲】
【請求項１】
打撃面を形成するフェース部、下部を形成するソール部、上部を形成するトップ部、打撃面の後方部を形成するバック部、前部を形成するトウ部、及び後部を形成するヒール部とからなるゴルフクラブのヘッド本体（１０）と、
前記ヘッド本体（１０）を構成する何れかの部位に固定配置されたもので、前記ヘッド本体（１０）を識別するための識別手段（５０）と、から成るゴルフクラブにおいて、
前記識別手段（５０）の情報を読取り及び／又は書込みが可能で且つ情報通信ネットワーク（３０）と通信可能な情報端末機器（２０）と、
前記情報端末機器（２０）から得られた情報を分析して、前記ゴルフクラブの性能調整情報及び／又は前記ゴルフクラブの関連情報を、前記情報通信ネットワーク（３０）を介して前記情報端末機器（２０）に提供可能なサーバー（４０）と、
から構成されることを特徴とするゴルフクラブの情報提供システム。
【請求項２】
請求項１に記載のゴルフクラブの情報提供システムにおいて、
前記情報端末機器（２０）は前記識別手段（５０）の情報を読み込むと、前記サーバー（４０）に構築された専用サイトから前記ゴルフクラブの性能調整情報及び／又は前記ゴルフクラブの関連情報を自動的に取得するように構成されていることを特徴とするゴルフクラブの情報提供システム。
【請求項３】
請求項１又は２に記載のゴルフクラブの情報提供システムにおいて、
前記識別手段（５０）は、二次元コード又はＩＣタグから構成されることを特徴とするゴルフクラブの情報提供システム。
【請求項４】
請求項１から３の何れか１項に記載のゴルフクラブの情報提供システムにおいて、
前記ヘッド本体（１０）の一部分（１１）は取付け・取外し可能な蓋部（１１ａ）を有し、前記識別手段（５０）は該蓋部（１１ａ）によって隠れていることを特徴とするゴルフクラブの情報提供システム。
【請求項５】
請求項４に記載のゴルフクラブの情報提供システムにおいて、
前記ヘッド本体（１０）の前記蓋部（１１ａ）が取り除かれた凹部（１１ｃ）には、前記ヘッド本体（１０）の重心位置を調整するウェイト（１２）を搭載するための、平面形状が六角形を成す六角凹部（１１ｅ）が形成されていることを特徴とするゴルフクラブの情報提供システム。
【請求項６】
請求項５に記載のゴルフクラブの情報提供システムにおいて、
前記凹部（１１ｃ）には複数の前記六角凹部（１１ｅ）がハニカム状に密に隣り合うように形成されていることを特徴とするゴルフクラブの情報提供システム。
【請求項７】
請求項５又は６に記載のゴルフクラブの情報提供システムにおいて、
前記ウェイト（１２）は、同一形状・異重量の複数のウェイト（１２ａ、１２ｂ、１２ｃ、１２ｄ）から構成されることを特徴とするゴルフクラブの情報提供システム。
【発明の詳細な説明】
【技術分野】
【０００１】
本発明は、識別用コード又はＩＣタグを備えたゴルフクラブの情報提供システムに関する。更に詳しくは、スイング特性を計測するセンサー或いはスイング特性を改善するゴルフクラブの性能調整に関するガイドライン・チャート等に依拠することなく、識別用の二次元コード又はＩＣタグを介してプレイヤーにそのゴルフクラブの性能調整情報又は関連情報を提供することが可能なゴルフクラブの情報提供システムに関するものである。 
【背景技術】
【０００２】
プレイヤーがウェイト等の取り付け位置を調整できるゴルフクラブヘッドは知られている。このウェイトの取り付け位置、質量を変更することで、重心位置を変え、球筋を調整する、或いはヘッドとシャフトの取り付け角度を変えることでフェースアングルなどを変えることが可能である（例えば、特許文献１を参照。）。このプレイヤーがどのように調整したらいいのかという点については、ゴルフクラブヘッドの購入時に、ガイドラインやチャートが教本として付属されているのが一般的である。しかしながら、ガイドラインやチャートを携帯しながらのプレイは煩わしいし、紛失してしまう虞もある。また、最近はウェイトをスライドさせて、ヘッドに希望の球筋（フェードやドローといった）が表示してあるヘッドも登場している。構造的にシンプルになって分かり易さは向上しているが、プレイヤー好みの微調整はできないという難点もある。
【０００３】
他方、ウェイト搭載位置が互いに異なり、ゴルフクラブのヘッド内部に挿入される着脱自在な複数の質量インサートと、アタック角・スイング速度等のユーザーに特有のスイング特性を検出するセンサーと送受信機を内蔵しヘッド内に挿入される着脱自在なセンサーインサートとを備え、センサーによって作成されるセンサーデータは、送受信機を介して遠隔コンピューティングデバイスに送信され、遠隔コンピューティングデバイスはセンサーデータを分析し、複数の質量インサートの内からユーザーに好ましい質量インサート及びその取付け向きを決定し、ディスプレイに表示するようにしたゴルフクラブヘッドのカスタマイズも提案されている（例えば、特許文献２を参照。）。なお、センサーとしては、加速度計、ジャイロスコープ、位置センサ（例えばＧＰＳモジュール）、又は当該技術分野において既知の他のセンシングデバイスのうちの１つ又は複数を含むことができることとしている。
【０００４】
従来、商品を識別管理するためのバーコードは、ユーザーが識別し易いように商品表面の見やすい位置に印刷されることが望ましいとされている。しかし、商品によってはそのバーコードによって美観又は高級感が損なわれる虞がある。そのため、バーコードを鉄又はニッケルなどの強磁性体の表面に刻印し、刻印した箇所を非磁性物質でコーティングした薄板をシャフトに貼り付けることにより、商品の美観を損なわずに、商品の識別管理が出来るにしたゴルフクラブも提案されている（例えば、特許文献３を参照。）。
【先行技術文献】
【特許文献】
【０００５】
【特許文献１】特開２０１８−２３８７４号公報
【特許文献２】特開２０１７−１４０３８５号公報
【特許文献３】特開平４−３６９０９２号公報
【発明の概要】
【発明が解決しようとする課題】
【０００６】
前述した特許文献２に記載されたセンサーインサートは、ヘッド内部に組み込まれているために厳しい衝撃を受けるので故障し易く、かつ電池を内蔵する必要があるため定期的に電池交換の必要がある。
【０００７】
一方、近年は、データやソフトウェアをネットワーク経由で、サービスとしてユーザーに提供するクラウドサービス（クラウドサーバー）が発達している。しかし、特許文献２に記載されたゴルフクラブのカスタマイズでは、プレイヤーがわざわざヘッド内部にセンサー及び送受信機を配置し、カスタマイズに必要なセンサーデータ（ユーザー自身のスイング特性データ）をクラウドサーバーに送信する必要がある。
【０００８】
特許文献３に記載されたゴルフクラブのシャフトに付されたバーコードは、商品そのものを識別管理するものであり、これによりユーザーであるプレイヤーにスイング特性を改善するための有用情報をもたらすものではない。
【０００９】
そこで、本発明は上記従来技術の問題点に鑑み成されたものであり、その目的は、スイング特性を計測するセンサー或いはスイング特性を改善するゴルフクラブの性能調整に関するガイドライン・チャート等に依拠することなく、識別用の二次元コード又はＩＣタグを介してプレイヤーにそのゴルフクラブの性能調整情報又は関連情報を提供することが可能なゴルフクラブの情報提供システムを提供することにある。
【課題を解決するための手段】
【００１０】
上記目的を達成するための本発明に係るゴルフクラブの情報提供システムは、打撃面を形成するフェース部、下部を形成するソール部、上部を形成するトップ部、打撃面の後方部を形成するバック部、前部を形成するトウ部、及び後部を形成するヒール部とからなるゴルフクラブのヘッド本体（１０）と、前記ヘッド本体（１０）を構成する何れかの部位に固定配置されたもので、前記ヘッド本体（１０）を識別するための識別手段（５０）と、から成るゴルフクラブにおいて、前記識別手段（５０）の情報を読取り及び／又は書込みが可能で且つ情報通信ネットワーク（３０）と通信可能な情報端末機器（２０）と、前記情報端末機器（２０）から得られた情報を分析して、前記ゴルフクラブの性能調整情報及び／又は前記ゴルフクラブの関連情報を、前記情報通信ネットワーク（３０）を介して前記情報端末機器（２０）に提供可能なサーバー（４０）とから構成されることを特徴とする。
【００１１】
上記構成では、識別手段（５０）に、ゴルフクラブの性能調整情報又は関連情報を記載することが可能になる。或いはこれらの情報を提供する専用サイトの特定情報（ＵＲＬ）を識別手段（５０）に記載することが可能となる。これにより、これらの情報を直接に又は情報通信ネットワーク（３０）を経由して情報端末機器（２０）に読み込ませることが可能になる。その結果、プレイヤーは、スイング特性を計測するセンサー、或いはスイング特性を改善するゴルフクラブの性能調整に関するガイドライン・チャート等に依拠する必要がなくなる。なお、ここで言う「情報」には、データだけでなくプログラム・アプリケーションを含むものとする。以降においても同じとする。
【００１２】
本発明に係るゴルフクラブの情報提供システムの第２の特徴は、前記情報端末機器（２０）は前記識別手段（５０）の情報を読み込むと、前記サーバー（４０）に構築された専用サイトから前記ゴルフクラブの性能調整情報及び／又は前記ゴルフクラブの関連情報を自動的に取得するように構成されていることである。
【００１３】
上記構成では、専用サイトから情報端末機器（２０）にゴルフクラブの性能調整のアプリケーション（プログラム）がダウンロード・起動されることになる。アプリケーションはプレイヤーの入力情報（現在の球筋、希望の球筋）を分析し、希望の球筋を実現するゴルフクラブの性能調整情報をプレイヤーに提示することになる。このように、プレイヤーは普段使い慣れた情報端末機器（２０）を使用して、アプリケーションによって提示された分析結果（ウェイト搭載位置）に基づいて簡単にゴルフクラブの性能調整を行うことができるようになる。
【００１４】
本発明に係るゴルフクラブの情報提供システムの第３の特徴は、前記識別手段（５０）は、二次元コード又はＩＣタグから構成されることである。
【００１５】
上記構成では、ゴルフクラブの性能・美観を損なわずに、識別手段（５０）をゴルフクラブの所定の位置に簡単に取り付けることが可能になる。
【００１６】
本発明に係るゴルフクラブの情報提供システムの第４の特徴は、前記ヘッド本体（１０）の一部分（１１）は取付け・取外し可能な蓋部（１１ａ）を有し、前記識別手段（５０）は該蓋部（１１ａ）によって隠れていることである。
【００１７】
上記構成では、識別手段（５０）は蓋部（１１ａ）によって隠れているため、ゴルフクラブの性能調整情報及び／又はゴルフクラブの関連情報が不正に盗まれることがなくなる。また、ゴルフクラブは美観が損なわれなくなる。
【００１８】
本発明に係るゴルフクラブの情報提供システムの第５の特徴は、前記ヘッド本体（１０）の前記蓋部（１１ａ）が取り除かれた凹部（１１ｃ）には、前記ヘッド本体（１０）の重心位置を調整するウェイト（１２）を搭載するための、平面形状が六角形を成す六角凹部（１１ｅ）が形成されていることである。
【００１９】
上記構成では、ウェイト搭載部（１１ｅ）が六角形を成しているため、限られたエリア内に多くのウェイト搭載部（１１ｅ）を形成することが可能になる。
【００２０】
本発明に係るゴルフクラブの情報提供システムの第６の特徴は、前記凹部（１１ｃ）には複数の前記六角凹部（１１ｅ）がハニカム状に密に隣り合っていることである。
【００２１】
上記構成では、隣り合うウェイト搭載部（１１ｅ）同士の間隔が短くなり且つウェイトの搭載位置が増えるため、より細かいゴルフクラブの性能調整が可能になる。
【００２２】
本発明に係るゴルフクラブの情報提供システムの第７の特徴は、前記ウェイト（１２）は、同一形状・異重量の複数のウェイト（１２ａ、１２ｂ、１２ｃ、１２ｄ）から構成されることである。
【００２３】
上記構成では、ヘッド本体（１０）の重量及び重心位置の各調整を細かく行うことが可能になる。
【発明の効果】
【００２４】
本発明に係るゴルフクラブの情報提供システムによれば、スイング特性を計測するセンサー或いはスイング特性を改善するゴルフクラブの性能調整に関するガイドライン・チャート等に依拠することなく、識別手段（５０）を介してプレイヤーにそのゴルフクラブの性能調整情報又は関連情報を提供することが可能となる。特に、識別手段（５０）を情報端末機器（２０）が読み込むことにより、識別手段（５０）に表示されている専用サイトから自動的にゴルフクラブのプレイ情報等を取得することが出来るように構成されているため、プレイヤーは専用サイトを介して、ヘッド重心位置調整のガイドラインやチャートに留まらず、メーカーの新製品情報など多種多様な情報を取得することが可能となる。
【００２５】
また、ヘッド重心位置調整のウェイト（１２）を搭載する部位（１１ｃ）は、平面形状が六角形を成す六角凹部（１１ｅ）がハニカム状に密に隣り合って形成されている。これにより、ウェイト搭載部（１１ｅ）同士の間隔が短くなり且つウェイトの搭載位置が増えるため、より細かいゴルフクラブの性能調整が可能になる。
【００２６】
また、識別手段（５０）は着脱可能な蓋部（１１ａ）によって隠れているため、ヘッド本体（１０）の美観を損なうことがなくなるようになる。
【図面の簡単な説明】
【００２７】
【図１】本発明の第１実施形態に係るゴルフクラブの情報提供システムを示す説明図である。
【図２】本発明に係るソール部を示す説明図である。
【図３】本発明に係るヘッド重心位置微調整アプリケーションのログイン・パスワード入力画面を示す説明図である。
【図４】本発明に係るヘッド重心位置微調整アプリケーションのプレイヤーの現在の球筋入力画面を示す説明図である。
【図５】本発明に係るヘッド重心位置微調整アプリケーションのプレイヤーの希望の球筋入力画面を示す説明図である。
【図６】本発明に係るヘッド重心位置微調整アプリケーションのヘッド重量・ウェイト搭載位置の分析結果画面を示す説明図である。
【図７】本発明に係るヘッド重心位置微調整アプリケーションのウェイト搭載後のヘッド重心位置の計算結果画面を示す説明図である。
【発明を実施するための形態】
【００２８】
以下、添付図面を参照して本発明の実施形態を詳細に説明する。
【００２９】
図１は、本発明の第１実施形態に係るゴルフクラブの情報提供システム１００を示す説明図である。なお、説明の都合上、本実施形態で使用されるゴルフクラブはウッドとする。また、図１（ａ）は二次元コード（識別コード）５０を図示するため、ハッチ（蓋部）１１ａがソール部１１から取り外されたゴルフクラブを表している。図１（ｂ）はハッチ１１ａがソール部１１に取り付けられた使用状態のゴルフクラブを表している。
【００３０】
図１（ａ）に示されるように、このゴルフクラブの情報提供システム１００は、二次元コード５０を備えたゴルフクラブのヘッド本体１０（以下「ヘッド本体１０」と言う。）と、二次元コード５０を読み取り指定された専用サイトにアクセスするスマートフォン２０と、スマートフォン２０とサーバー４０との間で双方向データ通信を可能にする情報通信ネットワーク（移動体通信システム、インターネット）３０と、スマートフォン２０からの要求に応じたコンテンツ（アプリケーション、データ）をスマートフォン２０に提供するサーバー４０とを具備して構成される。
【００３１】
図１（ｂ）に示されるように、ヘッド本体１０のソール部１１は表面の一部分がハッチ１１ａによって形成されている。ハッチ１１ａの外側にはネジ１１ｂを通すためのネジ用凸部１１ａｂが５個形成されている。各ネジ用凸部１１ａｂにはネジ１１ｂを通す貫通穴（図２（ｂ））が形成されている。なお、ソール部１１の詳細については図２を参照しながら後述する。
【００３２】
このようにハッチ１１ａはネジ１１ｂによって脱着可能に（取外し／取付け自在に）構成されている。ネジ１１ｂは付属のレンチ（図示せず）によって締結／解除されるように構成されている。従って、図１（ａ）に示されるようにハッチ１１ａを取り外すと、凹部１１ｃが形成され、凹部１１ｃの外側にはネジ用凸部１１ａｂが嵌合するネジ用凹部１１ａａが５個形成されている。各ネジ用凹部１１ａａにはネジ１１ｂと螺合する雌ネジ部１１ｄが形成されている。
【００３３】
凹部１１ｃには二次元コード５０がマーキング（刻印）されている。二次元コード５０は、例えば転写マーク又はレーザーマーキングによって凹部１１ｃにマーキングされている。二次元コード５０は、ヘッド本体１０の識別情報（例えば、ロット番号、部品番号、シリアル番号）の他に、そのヘッド本体１０を使用するプレイヤーに必要な情報を提供する専用サイトのＵＲＬ（＝Uniform Resource Locator）を表示している。二次元コード５０はスマートフォン２０のカメラ機能を介して内蔵の画像解析アプリーケーション（二次元コードリーダー）によって解読され、スマートフォン２０は、二次元コードに表示された専用サイトにアクセスして、必要な情報（ヘッド重心位置微調整アプリケーション）を取得する。この専用サイトについては図３から図７を参照しながら後述する。
【００３４】
また、図１（ａ）に示されるように、凹部１１ｃには、プレイヤーがヘッド本体１０の重心位置を変えるためのウェイト１２を搭載するための六角凹部１１ｅが複数個形成されている。複数の六角凹部１１ｅはハニカム状に隙間を小さくして密に隣り合っている。このようにウェイト１２を搭載するマウント部を六角凹部に形成することにより、限られたエリア内に多く（本実施形態では２６箇所）のマウント部を形成することが可能になる。これにより、凹部１１ｃの任意の位置にウェイト１２を配置することが可能になる。その結果、プレイヤーはヘッド本体１０の重量・重心位置に関し思い通りのチューニング（調整）をすることが可能になる。なお、各六角凹部１１ｅに搭載されるウェイト１２の形状は六角板を成している。
【００３５】
また、情報通信ネットワーク３０は、携帯電話会社の移動体通信システム（４Ｇ又は５Ｇ回線）を使用することができる。なお、情報通信ネットワーク３０がインターネットの場合は、スマートフォン２０は近距離無線ＬＡＮ（例えばＢｌｕｅｔｏｏｔｈ（登録商標）、Ｗｉ−Ｆｉ（登録商標））を介してインターネットに接続されることになる。
【００３６】
図２は、本発明に係るソール部１１を示す説明図である。図２（ａ）はハッチ１１ａがソール部１１に取り付けられた状態を表している。図２（ｂ）はハッチ１１ａがソール部１１から取り外された状態を表している。
【００３７】
図２（ａ）に示されるように、ソール部１１の表面の一部分がハッチ１１ａによって着脱可能に構成されている。ハッチ１１ａはネジ１１ｂによってソール部１１に締結されている。ハッチ１１ａの外側にはクラウン方向に出っ張ったネジ用凸部１１ａｂが形成されている。また、ネジ用凸部１１ａｂの高さはネジ１１ｂの皿部より大きくなるように設定され、ネジ１１ｂがソール部１１から突出しないようになっている。また、ハッチ１１ａの隣にはシャフト用凹部１１ｂｂが形成されている。
【００３８】
図２（ｂ）に示されるように、ネジ用凸部１１ａｂにはネジ１１ｂを通す貫通穴１１ａｃが形成されている。また、ハッチ１１ａを除いたソール部１１は凹部１１ｃを成し、凹部１１ｃにはネジ用凸部１１ａｂが嵌合するネジ用凹部１１ａａと、ウェイト１２を搭載する六角凹部１１ｅがそれぞれ形成されている。
【００３９】
ネジ用凹部１１ａａにはネジ１１ｂと螺合する雌ネジ部１１ｄが形成されている。また、複数の六角凹部１１ｅはハニカム状に隙間を小さくして密に隣り合って形成されている。各六角凹部１１ｅは、番号（図６）によって個々に識別され、これらの番号（図６）はウェイト搭載位置を表している。
【００４０】
ウェイト１２は、例えば２ｇ単位で細分化されている。本実施形態では、同一形状・異重量の４種類のウェイト（２ｇのウェイト１２ａ、４ｇのウェイト１２ｂ、６ｇのウェイト１２ｃ、８ｇのウェイト１２ｄ）が参考に図示されている。
【００４１】
図３から図７は、本発明に係るヘッド重心位置微調整アプリケーションを示す説明図である。このヘッド重心位置微調整アプリケーションは、ヘッド本体１０を使用するプレイヤーが理想の球筋を実現するために必要なウェイトによる重心位置調整、具体的には搭載すべきウェイトの搭載位置をスマートフォン２０のディスプレイ２１を介してプレイヤーに提示するアプリケーションである。以下、このヘッド重心位置微調整アプリケーションの使用例を示すことにする。
【００４２】
プレイヤーはスマートフォン２０のカメラ機能・二次元コード読取り機能を介してソール部１１の凹部１１ｃ（図１）に表示されている二次元コード５０を読み取る。その結果、スマートフォン２０に予めインストールされているブラウザが起動し、二次元コードに記された専用サイトにアクセスし、ヘッド重心位置微調整アプリケーションをスマートフォン２０の内部メモリに一時的にダウンロードして、ディスプレイ２１に表示させる。
【００４３】
そして、図３に示されるように、プレイヤーは予め登録しておいた所定のログインＩＤとパスワードを入力することにより、ヘッド重心位置微調整アプリケーションが起動するようになる。
【００４４】
図４に示されるように、先ずプレイヤーの現在の球筋を選択する。なお、ヘッド重量については工場出荷状態とする。また、選択はディスプレイ２１を指でタップすることにより行われる。球筋の評価項目としては、例えば、弾道の高さ（Ｔｒａｊｅｃｔｏｒｙ）とフェード・ドロー特性（Ｆａｄｅ  ａｎｄ  Ｄｒａｗ）を採用する。プレイヤーは、弾道の高さについて、”高い（ＨＩＧＨ）”、”中間（ＭＩＤ）”、”低い（ＬＯＷ）”の内から自身の球筋に近いものを１つ選択するようになっている。
【００４５】
弾道のフェード・ドロー特性についても同様に、”フェード（ＦＡＤＥ）”、”ニュートラル（ＮＥＵＴＲＡＬ）”、”ドロー（ＤＲＡＷ）”の内から自身の球筋に近いものを１つ選択するようになっている。本実施形態では、プレイヤーは弾道の高さについては”低い（ＬＯＷ）”を選択し、フェード・ドロー特性については”フェード（ＦＡＤＥ）”を選択している。最後にＯＫボタンをタップしてその画面を完了する。
【００４６】
次に、図５に示されるように、プレイヤーは希望の球筋とヘッド重量をそれぞれ入力する。ヘッド重量（ＨＥＡＤ ＷＥＩＧＨＴ）については、逆三角形のボタンを押すことにより、プルダウンメニューがディスプレイ２１上に表示され、プレイヤーは希望のヘッド重量を選択するようになっている。本実施形態では、プレイヤーは希望の弾道の高さについては”高い（ＨＩＧＨ）”を選択し、希望のフェード・ドロー特性については”ニュートラル（ＮＥＵＴＲＡＬ）”を選択し、ヘッド重量（ＨＥＡＤ ＷＥＩＧＨＴ）については”２００ｇ”を選択している。最後にＯＫボタンをタップしてその画面を完了する。
【００４７】
図６に示されるように、ヘッド重心位置微調整アプリケーションは、図４で入力された現在の球筋を基に、図５で入力された希望の球筋及びヘッド重量に近づくためのヘッド本体１０の重心位置を計算し、その重心位置を実現するウェイト搭載位置とウェイト重量をディスプレイ２１に提示する。
【００４８】
本実施形態ではウェイト１２を搭載する六角凹部１１ｅは、ソール部１１の凹部１１ｃに２６個形成され、各六角凹部１１ｅの位置は１から２６の互いに異なる識別番号によってそれぞれ区別されている。分析の結果、ヘッド重心位置微調整アプリケーションは、２０番、２１番、２２番、２５番、２６番の六角凹部１１ｅに、ウェイト重量が２ｇのウェイト１２ａを搭載することを提示している。プレイヤーはウェイト搭載位置とウェイト重量を確認した後にＯＫボタンをタップしてその画面を完了する。
【００４９】
図７に示されるように、プレイヤーがウェイト１２ａを上記番号の六角凹部１１ｅに搭載したときの、重心位置（重心距離ＣＧＬ、重心深さＣＧＤ、重心高さＣＧＨ）が示される。プレイヤーはヘッド本体の重心位置を確認した後にＯＫボタンをタップしてその画面を完了する。上記分析結果（計算結果）は、プレイヤー毎に割り当てられた専用サイトの記憶領域にヘッド重心位置微調整履歴として個別に保存される。
【００５０】
以上、図面を参照しながら、本発明の一実施形態に係るゴルフクラブの情報提供システム１００について説明してきたが、本発明は上記実施形態だけに限定されるものではない。すなわち、本発明の技術的範囲を逸脱しない範囲内において種々の変更・修正を加えることが可能である。例えば、二次元コード５０に表示される専用サイトは、プレイヤーの希望の球筋を実現するヘッド重心位置の微調整だけでなく、プレイヤーのフォームの改善点についての助言もするようにしても良い。また、専用サイトはプレイに係るレッスン情報だけでなく、ゴルフクラブの新製品情報を宣伝するようにしても良い。
【００５１】
また、ヘッド重心位置微調整アプリケーションは、専用サイトからスマートフォン２０にダウンロードされるのではなく、スマートフォン２０の専用アプリケーションとしてスマートフォン２０の情報記憶媒体（ストレージ）にインストールされるようにしても良い。
【００５２】
二次元コード５０の代わりにＩＣタグ（図示せず）を使用することも可能である。ＩＣタグの固定については、例えばソール部１１の六角凹部１１ｅにＩＣタグを載置し、接着剤（例えば、エポキシ系接着剤、又はポリエステル樹脂等のホットメルト型接着剤）で埋設するようにすることが可能である。また、ＩＣタグとスマートフォン２０との間のデータ通信は、所定周波数帯域の電磁波を介して行われるため、スマートフォン２０はその周波数帯域に対応した送受信機を備えることになる。
【００５３】
また、本発明はウッドに限らず他のゴルフクラブ（例えばアイアン等）に対しても適用可能である。
【符号の説明】
【００５４】
１０          ゴルフクラブのヘッド本体
１１          ソール部
１１ａ        ハッチ（蓋部）
１１ｂ        ネジ
１１ｃ        凹部
１１ｄ        雌ネジ部
１１ｅ        六角凹部
１１ａａ      ネジ用凹部
１１ａｂ      ネジ用凸部
１１ａｃ      貫通穴
１１ｂｂ      シャフト用凹部
１２          ウェイト
２０          スマートフォン（情報端末機器）
３０          情報通信ネットワーク
４０          サーバー
５０          二次元コード（識別手段）
１００        ゴルフクラブの情報提供システム
【図１】
2020089422.tif 000003
【図２】
2020089422.tif 000004
【図３】
2020089422.tif 000005
【図４】
2020089422.tif 000006
【図５】
2020089422.tif 000007
【図６】
2020089422.tif 000008
【図７】
2020089422.tif 000009